【手続補正書】
【提出日】平成17年5月12日(2005.5.12)
【手続補正１】
【補正対象書類名】明細書
【補正対象項目名】特許請求の範囲
【補正方法】変更
【補正の内容】
【特許請求の範囲】
【請求項１】
画像データを取得する取得手段と、
前記画像データに画像処理を施す画像処理手段と、
前記画像データの画像サイズに応じた画像空間周波数に基づいて、当該画像処理された画像データに中間調処理を施す中間調処理手段と、
を有することを特徴とする画像形成装置。
【請求項２】
前記中間調処理手段は、前記画像サイズの一辺の大きさに基づいた画像空間周波数で中間調処理を施すことを特徴とする請求項１に記載の画像形成装置。
【請求項３】
前記中間調処理手段は、前記画像サイズの縦方向及び横方向の大きさに基づいた画像空間周波数で中間調処理を施すことを特徴とする請求項１に記載の画像形成装置。
【請求項４】
前記中間調処理手段は、前記画像データにおける画像の面積に応じた画像空間周波数で中間調処理を施すことを特徴とする請求項１に記載の画像形成装置。
【請求項５】
アプリケーションから出力される画像データ及び出力命令を取得する取得手段と、
前記出力命令に基づいて記録体のサイズを算出するサイズ取得手段と、
前記画像データに画像処理を施す画像処理手段と、
前記サイズ取得手段で算出した記録体のサイズに応じて画像空間周波数を切り替える切替手段と、
前記切替手段で切り替えた画像空間周波数に基づいて、当該画像処理された画像データに中間調処理を施す中間調処理手段と、
を有することを特徴とする画像形成装置。
【請求項６】
前記切替手段は、画像空間周波数を多段階に切り替えることを特徴とする請求項５に記載の画像形成装置。
【請求項７】
画像データを取得するステップと、
前記画像データに画像処理を施すステップと、
前記画像データの画像サイズに応じた画像空間周波数に基づいて、当該画像処理された画像データに中間調処理を施すステップと、
を有することを特徴とする画像形成方法。
【請求項８】
前記中間調処理を施すステップは、前記画像サイズの一辺の大きさに基づいた画像空間周波数で中間調処理を施すことを特徴とする請求項７に記載の画像形成方法。
【請求項９】
前記中間調処理を施すステップは、前記画像サイズの縦方向及び横方向の大きさに基づいた画像空間周波数で中間調処理を施すことを特徴とする請求項７に記載の画像形成方法。
【請求項１０】
前記中間調処理を施すステップは、前記画像データにおける画像の面積に応じた画像空間周波数で中間調処理を施すことを特徴とする請求項７に記載の画像形成装置。
【請求項１１】
アプリケーションから出力される画像データ及び出力命令を取得するステップと、
前記出力命令に基づいて記録体のサイズを算出するステップと、
前記画像データに画像処理を施すステップと、
前記算出した記録体のサイズに応じて画像空間周波数を切り替えるステップと、
前記切り替えた画像空間周波数に基づいて、当該画像処理された画像データに中間調処理を施すステップと、
を有することを特徴とする画像形成方法。
【請求項１２】
前記画像空間周波数切り替えるステップは、画像空間周波数を多段階に切り替えることを特徴とする請求項１１に記載の画像形成方法。
【請求項１３】
請求項１乃至６のいずれか１項に記載の画像形成装置の処理機能をコンピュータに実行させるためのプログラムを記録したコンピュータ読み取り可能な記録媒体。
【請求項１４】
請求項７乃至１２のいずれか１項に記載の画像形成方法の処理をコンピュータに実行させるためのプログラムを記録したコンピュータ読み取り可能な記録媒体。
【手続補正２】
【補正対象書類名】明細書
【補正対象項目名】０００７
【補正方法】変更
【補正の内容】
【０００７】
【課題を解決するための手段】
本発明の請求項１の画像形成装置は、画像データを取得する取得手段と、前記画像データに画像処理を施す画像処理手段と、前記画像データの画像サイズに応じた画像空間周波数に基づいて、当該画像処理された画像データに中間調処理を施す中間調処理手段とを有することを特徴とする。
また、本発明の請求項２は、前記中間調処理手段が、前記画像サイズの一辺の大きさに基づいた画像空間周波数で中間調処理を施すことを特徴とする。
また、本発明の請求項３は、前記中間調処理手段が、前記画像サイズの縦方向及び横方向の大きさに基づいた画像空間周波数で中間調処理を施すことを特徴とする。
また、本発明の請求項４は、前記中間調処理手段が、前記画像データにおける画像の面積に応じた画像空間周波数で中間調処理を施すことを特徴とする。
また、本発明の請求項５の画像形成装置は、アプリケーションから出力される画像データ及び出力命令を取得する取得手段と、前記出力命令に基づいて記録体のサイズを算出するサイズ取得手段と、前記画像データに画像処理を施す画像処理手段と、前記サイズ取得手段で算出した記録体のサイズに応じて画像空間周波数を切り替える切替手段と、前記切替手段で切り替えた画像空間周波数に基づいて、当該画像処理された画像データに中間調処理を施す中間調処理手段とを有することを特徴とする。
また、本発明の請求項６は、前記切替手段が、画像空間周波数を多段階に切り替えることを特徴とする。
【手続補正３】
【補正対象書類名】明細書
【補正対象項目名】０００８
【補正方法】変更
【補正の内容】
【０００８】
本発明の請求項７の画像形成方法は、画像データを取得するステップと、前記画像データに画像処理を施すステップと、前記画像データの画像サイズに応じた画像空間周波数に基づいて、当該画像処理された画像データに中間調処理を施すステップとを有することを特徴とする。
また、本発明の請求項８は、前記中間調処理を施すステップが、前記画像サイズの一辺の大きさに基づいた画像空間周波数で中間調処理を施すことを特徴とする。
また、本発明の請求項９は、前記中間調処理を施すステップが、前記画像サイズの縦方向及び横方向の大きさに基づいた画像空間周波数で中間調処理を施すことを特徴とする。
また、本発明の請求項１０は、前記中間調処理を施すステップが、前記画像データにおける画像の面積に応じた画像空間周波数で中間調処理を施すことを特徴とする。
本発明の請求項１１の画像形成方法は、アプリケーションから出力される画像データ及び出力命令を取得するステップと、前記出力命令に基づいて記録体のサイズを算出するステップと、前記画像データに画像処理を施すステップと、前記算出した記録体のサイズに応じて画像空間周波数を切り替えるステップと、前記切り替えた画像空間周波数に基づいて、当該画像処理された画像データに中間調処理を施すステップとを有することを特徴とする。
また、本発明の請求項１２は、前記画像空間周波数切り替えるステップが、画像空間周波数を多段階に切り替えることを特徴とする。
【手続補正４】
【補正対象書類名】明細書
【補正対象項目名】０００９
【補正方法】変更
【補正の内容】
【０００９】
本発明の請求項１３のコンピュータ読み取り可能な記録媒体は、前記請求項１乃至６のいずれか１項に記載の画像形成装置の処理機能をコンピュータに実行させるためのプログラムを記録したコンピュータ読み取り可能な記録媒体であることを特徴とする。
本発明の請求項１４のコンピュータ読み取り可能な記録媒体は、前記請求項７乃至１２のいずれか１項に記載の画像形成方法の処理をコンピュータに実行させるためのプログラムを記録したコンピュータ読み取り可能な記録媒体であることを特徴とする。